(57)【要約】      （修正有）【課題】コンクリート面やアスファルト面と構造物の間に生じる隙間、また、地面に敷設した防草シートと構造物の間に生じる隙間を防止し、隙間から生える雑草を抑止する為の雑草抑止材を提供する。【解決手段】雑草抑止材６は無数の細かいゴムチップにウレタン樹脂などのバインダーを混ぜ合わせたもので、これを構造物とコンクリート面やアスファルト面との境界に盛付けすることで隙間５に埋めると共に構造物の表面に密着状態で固着させる。【選択図】図３
0003209388.tif 000002
【実用新案登録請求の範囲】
【請求項１】
コンクリート面やアスファルト面とこれらをベースとして構築した構造物の間に生じる隙間、また、地面に敷設した防草シートと構造物の間に生じる隙間を防止し、該隙間から生える雑草を抑止する為の雑草抑止材において、該雑草抑止材は無数の細かいゴムチップにバインダーを混ぜ合わせたもので、これを上記構造物との境界に盛付けすると共に該構造物の表面に密着状態で固着することを特徴とする構造物周囲の雑草抑止材。
【請求項２】
上記バインダーとしてウレタン樹脂を用いた請求項１記載の構造物周囲の雑草抑止材。
【請求項３】
コンクリート面やアスファルト面とこれらをベースとして構築した構造物の間に生じる隙間、また、地面に敷設した防草シートと構造物の間に生じる隙間を防止し、該隙間から生える雑草を抑止する為の雑草抑止構造において、雑草抑止材は無数の細かいゴムチップにバインダーを混ぜ合わせたもので、これを上記構造物との境界に沿って盛り付けて該構造物の表面に密着状態で固着したことを特徴とする構造物周囲の雑草抑止構造。
【請求項４】
上記バインダーとしてウレタン樹脂を用いた請求項３記載の構造物周囲の雑草抑止構造。
【考案の詳細な説明】
【技術分野】
【０００１】
本考案はコンクリート面又はアスファルト面から起立する構造物の周囲から雑草が発生することを抑止することが出来る抑止材及び雑草抑止構造に関するものである。
【背景技術】
【０００２】
コンクリート面やアスファルト面に僅かな隙間があれば、この隙間から雑草が生えることは時々目にする。その為に、コンクリート面やアスファルト面から構造物（例えば、柱など）を起立する場合、該コンクリート面やアスファルト面との間に僅かな隙間が形成され、この隙間から何時の日か雑草が発生する。そこで、この隙間から雑草が生えないようにした技術も色々と開発されている。
【０００３】
例えば、特開平９−１５４４２０号に係る「防草マット及びその施工法」は、路肩等での雑草の発芽や成長を防止すると共に、施工作業を容易かつ迅速に行うことができる防草マット及びその施工法である。
防草マットＡを、土木用ベルトコンベアーのゴム製の廃ベルトを切断加工して得られたシート本体の表面に、コンクリート製の錘ブロックを複数個貼着して作製し、これを施工面に敷設してアンカーピンにて打付け固定し、マット間の縦横の隙間及びマットの上端部と道路縁石との間に沿ってコーキング剤を充填してシール加工すると共に、ゴム製のマット連結用のテープでマット同士の境界部分を目貼りする。
【０００４】
また、特開２０００−４６８６号に係る「雑草繁殖防止工法」は、植栽植物や環境に悪影響を与えることなく雑草の繁殖を容易に防止するする。
緑化基盤（生育基盤）を、透水性、および完全遮光性のある遮光シートで被覆し、複数本の切れ目の組み合わせによりなる捲れ片を介して、所定種植物の苗木を緑化基盤に植栽する。そして、遮光シートと同一種類の遮光シートからなる遮光パッチに、その周端からほぼ中央にかかる切り込みを１本設け、この切り込みでの部分的な分断を伴って、遮光パッチを苗木の茎部周りに配置するとともに、遮光シートの切れ目に自己の切り込みを合致させない位置、および向きで、この遮光パッチを遮光シートに重ねて固着している。
【０００５】
ところで、従来の雑草抑止材は防草マットや遮光シートを敷設する施工方法であり、その為に施工には多くの工数がかかり、しかし該防草マットや遮光シートでは僅かな隙間を完全に塞ぐことは容易でない。例えば、構造物自体が温度の変化で収縮するならば隙間なく敷設したシートとの間に僅かな隙間が発生する。その為に、形成される構造物の隙間から雑草が生えることが多い。
【特許文献１】特開平９−１５４４２０号に係る「防草マット及びその施工法」
【特許文献２】特開２０００−４６８６号に係る「雑草繁殖防止工法」
【考案の開示】
【考案が解決しようとする課題】
【０００６】
このように、コンクリート面又はアスファルト面から起立する構造物との間に形成される隙間から雑草が生えないようにする従来技術には上記のごとき問題がある。本考案が解決しようとする課題はこの問題点であり、極めて簡単な施工にて雑草が生える隙間を発生しないようにする防草抑止材及び防草抑止構造を提供する。
【課題を解決するための手段】
【０００７】
本考案に係る雑草抑止材は従来のようなシートではなく、細かく粉砕したゴムチップを使用し、これにバインダーを混合して所定の形状に固めることで隙間を塞ぐようにしている。ここで、ゴムチップとしては使い古した廃タイヤを粉砕して作ることが出来、またバインダーとしては一般にウレタン樹脂が使用される。廃タイヤはその処分に困っているもので、その為にコスト的には非常に安く出来る。
【０００８】
対象とする構造物とはコンクリート面又はアスファルト面をベースとして構築されるもので、例えば、道路脇のガードフェンスを構成する支柱、フェンスの支柱、建物の側壁、公園に作られる歩道を仕切るコンクリートブロックや敷石も構造物の対象とするが、具体的には限定しない。
これら構造物をコンクリート面又はアスファルト面から起立して構築する場合、また、コンクリート面又はアスファルト面から起立することなく設置される構造物との境界にも隙間が形成される。
【０００９】
本考案ではこの隙間にゴムチップにバインダーを混ぜ合わせた雑草抑止材を盛り付けて該隙間を塞ぐように構成する。一方、コンクリート面やアスファルト面に構築される構造物に限らず、地面に防草シートを敷設する場合には、この防草シートと構造物との間に形成される隙間を防止する為に本考案の雑草抑止材を用いる。
【考案の効果】
【００１０】
本考案に係る隙間抑止材はゴムチップを材料とし、これにウレタン樹脂などのバインダーを混ぜ合わせたものであり、ゴムチップとしては廃タイヤを粉砕して作るならば材料費は非常に安くなる。そして、細かいゴムチップを隙間が塞がるように埋めるが、構造物の形状が如何様であっても柔軟に対処して隙間を塞ぐことが出来る。従来のシートでは構造物の形状が複雑であれば適用できない場合であっても、細かいゴムチップで構成している本考案の雑草抑止材は雑草が生えないように隙間を塞ぐことは簡単である。
【００１１】
しかも、本考案では施工工数は小さく、シートを用いて構造物間の隙間を塞ぐ従来の施工方法に比較して非常に安く出来る。そして、バインダーを混ぜていることで隙間を塞いで埋める雑草抑止材は、短時間で硬化してコンクリート面又はアスファルト面、さらには防草シート面に固着し、特別な接着工程は不要となる。一方、ゴムチップは柔軟性があって、コンクリート面やアスファルト面又は防草シート、それに構造物が温度の変化に応じて拡張・収縮しても隙間を生じることがない。
【図面の簡単な説明】
【００１２】
【図１】道路脇に沿設しているガードフェンスを示す実施例。
【図２】図１のＡ−Ａ断面拡大図。
【図３】支柱の周りに雑草抑止材を盛り上げた場合。
【図４】雑草抑止材の作り方を示す具体例。
【図５】地面に防草シート敷設した場合の支柱と防草シートの間に形成される隙間。
【考案を実施するための形態】
【００１３】
図１は一般道路や高速道路のガードフェンスを示している外観図であり、１は支柱、２はフェンス側板を示し、支柱１，１・・・は一定間隔で路面３から起立し、そして、フェンス側板２，２・・・は互いに一定間隔を設けて平行を成して上記支柱１，１・・・に取着されている。該ガードフェンスは道路の脇に限らず、歩道と車道を仕切る為に間にガードフェンスを設けている場合も多い。
【００１４】
上記支柱１はコンクリート又はアスファルトの路面３に穴４を開け、この穴に該支柱１を打ち込んで起立しているが、路面３に開けた穴４と支柱１との間に僅かな隙間５が形成される。図２は図１におけるＡ−Ａ断面拡大図であるが、円形断面のパイプから成る支柱１は穴４に嵌るが、該穴４との間に隙間５が０になることはない。勿論、部分的に穴内周と接しても、他の位置では隙間５が形成される。
【００１５】
本考案ではこの隙間５を塞ぐ為に雑草抑止材を使用して該隙間５を埋め、支柱１の周囲に沿って盛り上げる。図３は支柱１の周囲に雑草抑止材６を盛り上げて隙間５を塞いだ場合を示している。ここで、雑草抑止材６は細かいゴムチップから成り、このゴムチップにバインダーを混ぜ合わせたものである。したがって、ゴムチップは上記隙間５に入り込むことは殆どないが、支柱１の外周面７と密接して盛付けされ、支柱１との間に形成される隙間５は塞がれる。ゴムチップは細かくその形状は多種多様化しているが、支柱外周面７との境界に図３に示すように盛付けされることで、外周面７との隙間５は塞がれる。
【００１６】
図４は雑草抑止材６の作り方を示している。雑草抑止材６はゴムチップ８，８・・・を容器９に入れ、これにウレタン樹脂１０を加えて十分に攪拌して作られる。ゴムチップ８は一般に使い古した廃タイヤを使用し、この廃タイヤを細かく粉砕して作ることが出来る。廃タイヤはその処分に困るほど沢山あり、その為に該廃タイヤを細かく粉砕する作業とウレタン樹脂１０にコストはかかるが、実際には非常に安くなる。
【００１７】
ゴムチップ８，８・・・に対する混ぜ合わされるウレタン樹脂１０の体積比率は一般的に５：１としているが、この比率に限定はしない。すなわち、細かいゴムチップ８，８・・・が互いに固着すると共に、路面３及び支柱外周面７に固着することが出来ればよい。
【００１８】
ところで、上記支柱１の外周面７及び該支柱周りの路面３は乾燥し、きれいに掃除する。すなわち、湿気や汚れがある場合にはブラシやタオルなどで拭き取って除去し、路面３及び支柱外周面７に固着するようにする。そして、本考案の雑草抑止材６を支柱周りに盛り付ける作業は雨天時に行うことは出来ない。また、雑草抑止材６が完全に固化するに要する時間、例えば、ウレタン樹脂１０をバインダーとして用いた場合の時間は数時間雨が降らないことが必要である。
【００１９】
ウレタン樹脂１０を混ぜ合わされたゴムチップ８，８・・・は支柱１の周囲に盛り付けられ、盛り付けた雑草抑止材６はヘラで押えられ、細かい個々のゴムチップ８，８・・・は支柱外周面７に隙間なく密着する。そして、この状態でウレタン樹脂１０にて固着される。
【００２０】
したがって、細かい個々のゴムチップ８，８・・・は支柱１との境界に盛付けされることで支柱外周面７に密着する為に、温度が変化して隙間５が拡大しても周囲に盛付けされたゴムチップ８，８・・・が膨張することで支柱外周面７との間に隙間が発生することはない。すなわち、ゴムチップ８，８・・・は支柱１及び穴４の収縮に対して追従することが出来る。
【００２１】
一方、図３に示すように円形断面の支柱１の周りに雑草抑止材６を盛り上げる作業は容易であるが、コンクリート面やアスファルト面から突出する構造物の形状が複雑化している場合であっても、細かいゴムチップ８，８・・・にウレタン樹脂１０を混ぜ合わせた雑草抑止材６を周囲に隙間なく盛り付ける作業は決して困難ではない。
【００２２】
図５は地面に防草シート１１ａ，１１ｂを敷設し、この防草シート１１ａ，１１ｂと支柱１との間に形成される隙間１２を表している。防草シート１１ａ，１１ｂは支柱１が嵌る半円弧状の穴を切り口端に形成し、対を成す防草シート１１ａ，１１ｂによって支柱１を挟み込んでいる。ただし、半円弧状の穴と支柱１との間には僅かな隙間１２を有し、この隙間１２から雑草が生えないように雑草抑止材６を境界に盛付けして隙間１２に埋めることが出来る。
【００２３】
雑草抑止材６は前記図４に示す実施例の場合と同じく、細かいゴムチップ８，８・・・にウレタン樹脂１０を混ぜ合わせたものである。ここで、支柱周りの防草シート１１ａ，１１ｂが反り変形しないように、該支柱１の周辺部の防草シート１１ａ，１１ｂにピンを打ち込んで浮き上がらないようにし、その後で雑草抑止材６を盛り付けして隙間１２を塞ぐことが出来る。
【００２４】
実施例では支柱周りに生じる隙間を雑草抑止材６にて埋める場合について説明したが、構造物は支柱に限定するものではなく、その他の構造物とコンクリート面、アスファルト面、又は地面に敷設した防草シート面との間に生じる隙間を埋める場合も同じように構成することで、該隙間から雑草の発生を防止出来る。
【符号の説明】
【００２５】
１   支柱
２   フェンス側板
３   路面
４   穴
５   隙間
６   雑草抑止材
７   外周面
８   ゴムチップ
９   容器
10   ウレタン樹脂
11    防草シート
12    隙間
【図１】
0003209388.tif 000003
【図２】
0003209388.tif 000004
【図３】
0003209388.tif 000005
【図４】
0003209388.tif 000006
【図５】
0003209388.tif 000007
【手続補正書】
【提出日】平成29年1月10日(2017.1.10)
【手続補正１】
【補正対象書類名】実用新案登録請求の範囲
【補正対象項目名】全文
【補正方法】変更
【補正の内容】
【実用新案登録請求の範囲】
【請求項１】
コンクリート面やアスファルト面とこれらをベースとして構築した構造物の間に生じる隙間、また、地面に敷設した防草シートと構造物の間に生じる隙間を防止し、該隙間から生える雑草を抑止する為の雑草抑止構造において、雑草抑止材は無数の細かいゴムチップにバインダーを混ぜ合わせたもので、これを上記構造物との境界に沿って盛り付けて該構造物の表面に密着状態で固着したことを特徴とする構造物周囲の雑草抑止構造。
【請求項２】
上記バインダーとしてウレタン樹脂を用いた請求項１記載の構造物周囲の雑草抑止構造。